【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
依頼者端末と、インターネットを介して該依頼者端末と、配送者端末とにそれぞれ接続可能なサーバーとを備えた配送サービスシステムであって、
前記サーバーは、依頼者からの配送案件に関する情報を管理するデータベースを有し、
前記サーバーは、前記依頼者端末から前記サーバーに入力された当該依頼者の配送案件に関する希望配送日時、配送先の住所を含む情報を受け、前記データベースに登録し、
前記サーバーは、前記データベースに登録された新規案件について、配送者端末から入力された請負の応募を受け、前記データベースに登録すると共に、当該新規案件の依頼者端末に応募の通知をし、
前記サーバーは、当該新規案件について応募の通知を受けた依頼者端末から、応募があった配送者を承認するかの通知を前記サーバーで受け、承認された配送者の端末にその旨を通知し、
それにより、該承認された配送者により当該新規案件の配送を行うようにしたものであり、
前記データベースには案件毎に荷主の希望配送日時、応募した配送者、配送先、状態情報が登録され、当該状態情報は、配送者の請負応募が依頼者により承認されるまでの第１の状態と、当該承認された状態であることを示す第２の状態とを有し、
前記サーバーは、当該依頼者端末よりの当該配送者の承認の通知に応答して前記状態情報を前記第１の状態から前記第２の状態に変更する、ことを特徴とする配送サービスシステム。
【請求項２】
前記データベースに登録される案件毎の前記状態は、配送者の請負応募が依頼者により承認されるまでの前記第１の状態と、当該承認された配送者により現在配送中の状態であること、あるいは当該配送者による配送が完了するまでの状態であることを示す前記第２の状態と、配送完了の状態とを有し、
前記サーバーは、当該依頼者端末よりの当該配送者の承認の通知に応答して前記第１の状態を前記第２の状態に変更し、当該配送者端末よりの配送完了の通知又は当該依頼者端末よりの配送完了の承認の通知に応答して前記第２の状態から前記配送完了の状態に変更する、ことを特徴とする請求項１に記載の配送サービスシステム。
【請求項３】
前記データベースには、案件毎に個別の行として、依頼者の希望配送日時、応募した配送者、配送先、状態が登録され、同一案件に対して複数の配送者の請負応募がある場合には当該配送者毎に個別の行として登録される、ことを特徴とする請求項２に記載の配送サービスシステム。
【請求項４】
前記データベースにおいて、更に、前記各依頼者端末より当該依頼者により任意に設定した案件の緊急度／優先度を案件毎に登録可能とした、ことを特徴とする、請求項３に記載の配送サービスシステム。
【請求項５】
インターネットを介して依頼者端末、配送者端末とそれぞれ接続可能とされたサーバーに、依頼者からの配送案件に関する情報を管理するデータベースを備えるようにした、該サーバーを用いた配送サービス方法であって、
前記サーバーにより、前記依頼者端末から前記サーバーに入力された当該依頼者の配送案件に関する希望配送日時、配送先の住所を含む情報を受け、案件毎に前記データベースに登録し、
前記サーバーにより、前記データベースに登録された新規案件について、各配送者端末から入力された請負の応募を受け、前記データベースに登録すると共に、当該新規案件の依頼者端末に応募の通知をし、
前記サーバーにより、当該新規案件について応募の通知を受けた依頼者端末から、応募があった配送者を承認するかの通知を前記サーバーで受け、承認された配送者の端末にその旨を通知し、
それにより、該承認された配送者により当該新規案件の配送を行うようにしたものであり、
前記データベースには案件毎に荷主の希望配送日時、応募した配送者、配送先、状態情報が登録され、当該状態情報は、配送者の請負応募が依頼者により承認されるまでの第１の状態と、当該承認された状態であることを示す第２の状態とを有し、
前記サーバーにより、当該依頼者端末よりの当該配送者の承認の通知に応答して前記状態情報を前記第１の状態から前記第２の状態に変更する、ことを特徴とする配送サービス方法。
【請求項６】
前記データベースに登録される案件毎の前記状態情報は、配送者の請負応募が依頼者により承認されるまでの前記第１の状態と、当該承認された配送者により現在配送中の状態であること、あるいは当該配送者による配送が完了するまでの状態であることを示す前記第２の状態と、配送完了の状態とを有し、
前記サーバーにより、当該依頼者端末よりの当該配送者の承認の通知に応答して前記第１の状態を前記第２の状態に変更し、当該配送者端末よりの配送完了の通知又は当該依頼者端末よりの配送完了の承認の通知に応答して前記第２の状態から前記配送完了の状態に変更する、ことを特徴とする請求項５に記載の配送サービス方法。
【請求項７】
インターネットを介して依頼者端末、配送者端末とそれぞれ接続可能とされ、依頼者からの配送案件に関する情報を管理するデータベースを備えるようにした、配送サービス用サーバーであって、
該サーバーは、前記データベースに登録された新規案件について、配送者端末からの請負の応募を受け、前記データベースに登録すると共に、当該応募対象の新規案件の依頼者端末に応募の通知をし、
該サーバーは、当該新規案件について応募の通知を受けた依頼者端末から、応募があった配送者を承認するかの通知を受け、承認された配送者の端末にその旨通知し、
それにより、該承認された配送者により当該新規案件の配送を行うようにしたものであり、
前記データベースには案件毎に依頼者の希望配送日時、応募した配送者、配送先、状態情報が登録され、当該状態情報は、配送者の請負応募が依頼者により承認されるまでの第１の状態と、当該承認された状態であることを示す第２の状態とを有し、
該サーバーは、当該依頼者端末よりの当該配送者の承認の通知に応答して前記状態を前記第１の状態から前記第２の状態に変更する、ことを特徴とする配送サービス用サーバー。
【請求項８】
前記データベースに登録される案件毎の前記状態情報は、配送者の請負応募が依頼者により承認されるまでの前記第１の状態と、当該承認された配送者により現在配送中の状態であること、あるいは当該配送者による配送が完了するまでの状態であることを示す前記第２の状態と、配送完了の状態とを有し、
前記サーバーは、当該依頼者端末よりの当該配送者の承認の通知に応答して前記第１の状態を前記第２の状態に変更し、当該配送者端末よりの配送完了の通知又は当該依頼者端末よりの配送完了の承認の通知に応答して前記第２の状態から前記配送完了の状態に変更する、ことを特徴とする請求項７に記載の配送サービス用サーバー。
【請求項９】
インターネットを介して依頼者端末、配送者端末とそれぞれ接続可能とされたサーバーに、依頼者からの配送案件に関する情報とを管理するデータベースを備えるようにした、該サーバーを、
前記依頼者端末から前記サーバーに入力された当該依頼者の配送案件に関する希望配送日時、配送先の住所を含む情報を受け、案件毎に前記データベースに登録し、
前記データベースに登録された新規案件について、配送者端末から請負の応募を受け、前記データベースに登録すると共に、当該応募対象の新規案件の依頼者端末に応募の通知をし、
当該新規案件について応募の通知を受けた依頼者端末から、応募があった配送者を承認するかの通知を前記サーバーで受け、承認された配送者の端末にその旨を通知し、
前記データベースには案件毎に荷主の希望配送日時、応募した配送者、配送先、状態情報が登録され、当該状態情報は、配送者の請負応募が依頼者により承認されるまでの第１の状態と、当該承認された状態であることを示す第２の状態とを有し、
当該依頼者端末よりの当該配送者の承認の通知に応答して前記状態情報を前記第１の状態から前記第２の状態に変更する、
よう機能させるためのプログラム。
【請求項１０】
前記データベースに登録される案件毎の前記状態情報は、配送者の請負応募が依頼者により承認されるまでの前記第１の状態と、当該承認された配送者により現在配送中の状態であること、あるいは当該配送者による配送が完了するまでの状態であることを示す前記第２の状態と、配送完了の状態とを有し、
当該依頼者端末よりの当該配送者の承認の通知に応答して前記第１の状態を前記第２の状態に変更し、当該配送者端末よりの配送完了の通知又は当該依頼者端末よりの配送完了の承認の通知に応答して前記第２の状態から前記配送完了の状態に変更するよう、前記サーバーを機能させることを特徴とする請求項９に記載のプログラム。
【請求項１１】
依頼者端末と、インターネットを介して該依頼者端末と、サービス提供者端末とにそれぞれ接続可能なサーバーとを備えたサービス提供システムであって、
前記サーバーは、依頼者からのサービス案件に関する情報を管理するデータベースを有し、
前記サーバーは、前記依頼者端末から前記サーバーに入力された当該依頼者のサービス案件に関する希望日時、サービス対象住所を含む情報を受け、前記データベースに登録し、
前記サーバーは、前記データベースに登録された新規案件について、サービス提供者端末からの請負の応募を受け、前記データベースに登録すると共に、当該応募対象の新規案件の依頼者端末に応募の通知をし、
前記サーバーは、当該新規案件について応募の通知を受けた依頼者端末から、応募があったサービス提供者を承認するかの通知を受け、承認されたサービス提供者の端末にその旨通知し、
それにより、該承認されたサービス提供者により当該新規案件に関するサービスの提供を行うようにしたものであり、
前記データベースには案件毎に依頼者の希望日時、応募したサービス提供者、状態情報が登録され、当該状態情報は、サービス提供者の請負応募が依頼者により承認されるまでの第１の状態と、当該承認された状態であることを示す第２の状態とを有し、
当該依頼者端末よりの当該サービス提供者の承認の通知に応答して前記状態情報を前記第１の状態から前記第２の状態に変更する、ことを特徴とするサービス提供システム。
【請求項１２】
前記データベースに登録される案件毎の前記状態情報は、サービス提供者の請負応募が依頼者により承認されるまでの前記第１の状態と、当該承認されたサービス提供者により現在サービス提供中の状態であること、あるいは当該サービス提供者によるサービスが完了するまでの状態であることを示す前記第２の状態と、サービス完了の状態とを有し、
前記サーバーは、当該依頼者端末よりの当該サービス提供者の承認の通知に応答して前記第１の状態から前記第２の状態に変更し、当該サービス提供者端末よりのサービス完了の通知又は当該依頼者端末よりのサービス完了の承認の通知に応答して前記第２の状態から前記サービス完了の状態に変更する、ことを特徴とする請求項１１に記載のサービス提供システム。
【請求項１３】
依頼者端末と、インターネットを介して該依頼者端末と、配送者端末とにそれぞれ接続可能なサーバーとを備えた配送サービスシステムであって、
前記サーバーは、依頼者からの配送案件に関する情報を管理するデータベースを有し、
前記サーバーは、前記依頼者端末から前記サーバーに入力された当該依頼者の配送案件に関する希望配送日時、配送先の住所を含む情報を受け、前記データベースに登録し、
前記サーバーは、前記データベースに登録された新規案件について、配送者端末から入力された請負の応募を応募期限を設けることなく受け、前記データベースに登録すると共に、当該新規案件の依頼者端末に応募の通知をし、
前記サーバーは、当該新規案件について応募の通知を受けた依頼者端末から、応募があった配送者を承認するかの通知を前記サーバーで受け、承認された配送者の端末にその旨を通知し、
それにより、該承認された配送者により当該新規案件の配送を行うようにしたものである、ことを特徴とする配送サービスシステム。
【請求項１４】
インターネットを介して依頼者端末、配送者端末とそれぞれ接続可能とされたサーバーに、依頼者からの配送案件に関する情報を管理するデータベースを備えるようにした、該サーバーを用いた配送サービス方法であって、
前記サーバーにより、前記依頼者端末から前記サーバーに入力された当該依頼者の配送案件に関する希望配送日時、配送先の住所を含む情報を受け、案件毎に前記データベースに登録し、
前記サーバーにより、前記データベースに登録された新規案件について、各配送者端末から入力された請負の応募を応募期限を設けることなく受け、前記データベースに登録すると共に、当該新規案件の依頼者端末に応募の通知をし、
前記サーバーにより、当該新規案件について応募の通知を受けた依頼者端末から、応募があった配送者を承認するかの通知を前記サーバーで受け、承認された配送者の端末にその旨を通知し、
それにより、該承認された配送者により当該新規案件の配送を行うようにしたものである、ことを特徴とする配送サービス方法。
【請求項１５】
インターネットを介して依頼者端末、配送者端末とそれぞれ接続可能とされ、依頼者からの配送案件に関する情報を管理するデータベースを備えるようにした、配送サービス用サーバーであって、
該サーバーは、前記データベースに登録された新規案件について、配送者端末からの請負の応募を応募期限を設けることなく受け、前記データベースに登録すると共に、当該応募対象の新規案件の依頼者端末に応募の通知をし、
該サーバーは、当該新規案件について応募の通知を受けた依頼者端末から、応募があった配送者を承認するかの通知を受け、承認された配送者の端末にその旨通知し、
それにより、該承認された配送者により当該新規案件の配送を行うようにしたものである、ことを特徴とする配送サービス用サーバー。
【請求項１６】
インターネットを介して依頼者端末、配送者端末とそれぞれ接続可能とされたサーバーに、依頼者からの配送案件に関する情報とを管理するデータベースを備えるようにした、該サーバーを、
前記依頼者端末から前記サーバーに入力された当該依頼者の配送案件に関する希望配送日時、配送先の住所を含む情報を受け、案件毎に前記データベースに登録し、
前記データベースに登録された新規案件について、配送者端末から請負の応募を応募期限を設けることなく受け、前記データベースに登録すると共に、当該応募対象の新規案件の依頼者端末に応募の通知をし、
当該新規案件について応募の通知を受けた依頼者端末から、応募があった配送者を承認するかの通知を前記サーバーで受け、承認された配送者の端末にその旨を通知する、
よう機能させるためのプログラム。
【請求項１７】
依頼者端末と、インターネットを介して該依頼者端末と、サービス提供者端末とにそれぞれ接続可能なサーバーとを備えたサービス提供システムであって、
前記サーバーは、依頼者からのサービス案件に関する情報を管理するデータベースを有し、
前記サーバーは、前記依頼者端末から前記サーバーに入力された当該依頼者のサービス案件に関する希望日時、サービス対象住所を含む情報を受け、前記データベースに登録し、
前記サーバーは、前記データベースに登録された新規案件について、サービス提供者端末からの請負の応募を応募期限を設けることなく受け、前記データベースに登録すると共に、当該応募対象の新規案件の依頼者端末に応募の通知をし、
前記サーバーは、当該新規案件について応募の通知を受けた依頼者端末から、応募があったサービス提供者を承認するかの通知を受け、承認されたサービス提供者の端末にその旨通知し、
それにより、該承認されたサービス提供者により当該新規案件に関するサービスの提供を行うようにしたものである、ことを特徴とするサービス提供システム。